(57)【要約】【課題】印刷出力するまで時間を短縮でき、しかもユーザにわずらわしい操作を要求することなく、プリントデータがサイズの異なるページを含む混載データである場合には印刷後に排出される用紙の一辺の長さを揃えることができる画像形成のための装置、方法およびプログラム、並びに画像処理システムを提供する。【解決手段】画像形成装置としてのＭＦＰは、受信したプリントデータのページのサイズを順次検出し（Ｓ２０４）、順次検出されたプリントデータのページのサイズを順次比較して（Ｓ２０５）、比較した結果においてサイズが異なったときのサイズの組み合わせを検出する（Ｓ２０７）。そして、ＭＦＰは、サイズの組み合わせが検出された時点で、異なるサイズあるいは異なる向きの用紙を収納し得る複数の給紙トレイの中で使用すべき給紙トレイ２７１ａ〜２７１ｄを選択して（Ｓ２０８）、印刷処理を開始する（Ｓ２０９）。【選択図】図７
2006026956.tif 000002
【特許請求の範囲】
【請求項１】
異なるサイズあるいは異なる向きの用紙を収納し得る複数の給紙手段と、
複数ページからなるプリントデータを受信する受信手段と、
受信したプリントデータのページのサイズを順次検出するサイズ検出手段と、
順次検出されたプリントデータのページのサイズを順次比較するサイズ比較手段と、
比較した結果においてサイズが異なったときのサイズの組み合わせを検出するサイズ組み合わせ検出手段と、
前記サイズの組み合わせが検出された時点で、使用すべき給紙手段を選択して印刷処理を開始する印刷制御手段と、
を有することを特徴とする画像形成装置。
【請求項２】
前記受信手段は、プリントデータがサイズの異なるページを含むか否かを示す混載有無データを受信し、
前記混載有無データが混載の無いことを示している場合、前記印刷制御手段は、前記サイズの組み合わせの検出を待たずに、印刷処理を開始することを特徴とする請求項１に記載の画像形成装置。
【請求項３】
前記受信手段は、印刷後の用紙に対して施される後処理に関する情報を示す後処理データを受信し、
前記後処理データが後処理の指定が無いことを示している場合、前記印刷制御手段は、前記サイズの組み合わせの検出を待たずに、印刷処理を開始することを特徴とする請求項１に記載の画像形成装置。
【請求項４】
プリントデータ送信装置と画像形成装置とを有する画像処理システムであって、
前記プリントデータ送信装置は、
複数ページからなるプリントデータ、および当該プリントデータがサイズの異なるページを含むか否かを示す混載有無データを送信する送信手段を有し、
前記画像形成装置は、
異なるサイズあるいは異なる向きの用紙を収納し得る複数の給紙手段と、
前記プリントデータ、および前記混載有無データを受信する受信手段と、
前記混載有無データが混載の有ることを示している場合、受信したプリントデータのページのサイズを順次検出するサイズ検出手段と、
順次検出されたプリントデータのページのサイズを順次比較するサイズ比較手段と、
比較した結果においてサイズが異なったときのサイズの組み合わせを検出するサイズ組み合わせ検出手段と、
前記サイズの組み合わせが検出された時点で、使用すべき給紙手段を選択して印刷処理を開始する印刷制御手段とを有していることを特徴とする画像処理システム。
【請求項５】
複数ページからなるプリントデータを受信する受信ステップと、
受信したプリントデータのページのサイズを順次検出するサイズ検出ステップと、
順次検出されたプリントデータのページのサイズを順次比較するサイズ比較ステップと、
比較した結果においてサイズが異なったときのサイズの組み合わせを検出するサイズ組み合わせ検出ステップと、
前記サイズの組み合わせが検出された時点で、異なるサイズあるいは異なる向きの用紙を収納し得る複数の給紙手段の中で使用すべき給紙手段を選択して、印刷処理を開始する印刷制御ステップと、
を有することを特徴とする画像形成方法。
【請求項６】
複数ページからなるプリントデータを受信する受信手順と、
受信したプリントデータのページのサイズを順次検出するサイズ検出手順と、
順次検出されたプリントデータのページのサイズを順次比較するサイズ比較手順と、
比較した結果においてサイズが異なったときのサイズの組み合わせを検出するサイズ組み合わせ検出手順と、
前記サイズの組み合わせが検出された時点で、異なるサイズあるいは異なる向きの用紙を収納し得る複数の給紙手段の中で使用すべき給紙手段を選択して、印刷処理を開始する印刷制御手順と、
をコンピュータに実行させるための画像形成プログラム。
【請求項７】
請求項６に記載の画像形成プログラムを記録したコンピュータ読み取り可能な記録媒体。
【発明の詳細な説明】
【技術分野】
【０００１】
本発明は、画像形成のための装置、方法およびプログラム、並びに画像処理システムに関する。本発明は、特に、異なるサイズあるいは異なる向きの用紙を収納し得る複数の給紙手段を使用して画像形成するための装置、方法およびプログラム、並びに画像処理システムに関する。
【背景技術】
【０００２】
ユーザのＰＣ（パーソナルコンピュータ）からプリンタに送信されるプリントデータのページのサイズには、たとえばＡ４、Ａ３、Ａ５などの各種のサイズがあり、プリンタには、各種のサイズに対応すべく一般に複数の給紙トレイが備えられている。これらの給紙トレイは、異なるサイズあるいは異なる向きの用紙を収納可能である。
【０００３】
ところで、プリントデータがサイズの異なるページを含む混載データである場合、印刷後の用紙に対してステープル処理などの後処理を良好に施すためには、印刷後に排出される用紙の一辺の長さを揃えることが望ましい。この場合、各サイズの用紙の給紙方向を適切に設定する必要がある。たとえば、プリントデータがＡ４サイズおよびＡ３サイズのページを含んでいる場合、印刷の際には、Ａ４サイズの用紙が長辺を先頭にして給紙されるとともに、Ａ３サイズの用紙が短辺を先頭にして給紙される必要がある。
【０００４】
このような要請に応えるために、プリントデータに含まれる全てのページのサイズを検知してから混載データであるか否かおよび混載パターン（サイズの組み合わせ）を判断し、この判断結果に基づいて印刷する方法が提案されている（特許文献１参照）。
【０００５】
また、ユーザによりプリントデータに含まれるページのサイズの組み合わせ（たとえばＡ４およびＡ３）が予め指示され、この指示に基づいて印刷する方法が提案されている（特許文献２参照）。
【特許文献１】特開２００２−２４１０４１号公報
【特許文献２】特開２００２−３０８４５５号公報
【発明の開示】
【発明が解決しようとする課題】
【０００６】
しかしながら、特許文献１に記載の方法では、プリントデータが混載データであるか否かにかかわらず、プリントデータの全てのページを受信してサイズを検知した後に、印刷が開始される。このため、印刷出力するまでに一律に無駄な時間がかかってしまうという問題がある。
【０００７】
また、特許文献２に記載の方法では、ユーザは、プリントデータに含まれるページのサイズの組み合わせを予め調べて設定しなくてはならず、わずらわしい操作が要求されるという問題がある。
【０００８】
本発明は上記従来技術の有する問題点に鑑みてなされたものであり、本発明の目的は、印刷出力するまでの時間を短縮でき、しかもユーザにわずらわしい操作を要求することなく、プリントデータがサイズの異なるページを含む混載データである場合には印刷後に排出される用紙の一辺の長さを揃えることができる画像形成のための装置、方法およびプログラム、並びに画像処理システムを提供することである。
【課題を解決するための手段】
【０００９】
本発明の上記目的は、下記の手段によって達成される。
【００１０】
（１）異なるサイズあるいは異なる向きの用紙を収納し得る複数の給紙手段と、複数ページからなるプリントデータを受信する受信手段と、受信したプリントデータのページのサイズを順次検出するサイズ検出手段と、順次検出されたプリントデータのページのサイズを順次比較するサイズ比較手段と、比較した結果においてサイズが異なったときのサイズの組み合わせを検出するサイズ組み合わせ検出手段と、前記サイズの組み合わせが検出された時点で、使用すべき給紙手段を選択して印刷処理を開始する印刷制御手段と、を有することを特徴とする画像形成装置。
【００１１】
（２）前記受信手段は、プリントデータがサイズの異なるページを含むか否かを示す混載有無データを受信し、前記混載有無データが混載の無いことを示している場合、前記印刷制御手段は、前記サイズの組み合わせの検出を待たずに、印刷処理を開始することを特徴とする上記（１）に記載の画像形成装置。
【００１２】
（３）前記受信手段は、印刷後の用紙に対して施される後処理に関する情報を示す後処理データを受信し、前記後処理データが後処理の指定が無いことを示している場合、前記印刷制御手段は、前記サイズの組み合わせの検出を待たずに、印刷処理を開始することを特徴とする上記（１）に記載の画像形成装置。
【００１３】
（４）プリントデータ送信装置と画像形成装置とを有する画像処理システムであって、前記プリントデータ送信装置は、複数ページからなるプリントデータ、および当該プリントデータがサイズの異なるページを含むか否かを示す混載有無データを送信する送信手段を有し、前記画像形成装置は、異なるサイズあるいは異なる向きの用紙を収納し得る複数の給紙手段と、前記プリントデータ、および前記混載有無データを受信する受信手段と、前記混載有無データが混載の有ることを示している場合、受信したプリントデータのページのサイズを順次検出するサイズ検出手段と、順次検出されたプリントデータのページのサイズを順次比較するサイズ比較手段と、比較した結果においてサイズが異なったときのサイズの組み合わせを検出するサイズ組み合わせ検出手段と、前記サイズの組み合わせが検出された時点で、使用すべき給紙手段を選択して印刷処理を開始する印刷制御手段とを有していることを特徴とする画像処理システム。
【００１４】
（５）複数ページからなるプリントデータを受信する受信ステップと、受信したプリントデータのページのサイズを順次検出するサイズ検出ステップと、順次検出されたプリントデータのページのサイズを順次比較するサイズ比較ステップと、比較した結果においてサイズが異なったときのサイズの組み合わせを検出するサイズ組み合わせ検出ステップと、前記サイズの組み合わせが検出された時点で、異なるサイズあるいは異なる向きの用紙を収納し得る複数の給紙手段の中で使用すべき給紙手段を選択して、印刷処理を開始する印刷制御ステップと、を有することを特徴とする画像形成方法。
【００１５】
（６）複数ページからなるプリントデータを受信する受信手順と、受信したプリントデータのページのサイズを順次検出するサイズ検出手順と、順次検出されたプリントデータのページのサイズを順次比較するサイズ比較手順と、比較した結果においてサイズが異なったときのサイズの組み合わせを検出するサイズ組み合わせ検出手順と、前記サイズの組み合わせが検出された時点で、異なるサイズあるいは異なる向きの用紙を収納し得る複数の給紙手段の中で使用すべき給紙手段を選択して、印刷処理を開始する印刷制御手順と、をコンピュータに実行させるための画像形成プログラム。
【００１６】
（７）上記（６）に記載の画像形成プログラムを記録したコンピュータ読み取り可能な記録媒体。
【発明の効果】
【００１７】
本発明によれば、プリントデータの送信側においてプリントデータに含まれるページのサイズの組み合わせを予め指示しなくても、順次受信されるページのサイズの混載パターンがわかった時点で早期に印刷を開始することができる。
【００１８】
この結果、印刷出力するまでの時間を短縮でき、しかもユーザにわずらわしい操作を要求することなく、プリントデータが混載データである場合には印刷後に排出される用紙の一辺の長さを揃えることが可能となる。
【００１９】
また、プリントデータがサイズの異なるページを含むか否かを示す混載有無データを受信して、混載の無いことが示されている場合には、サイズの組み合わせの検出を待たずに印刷処理を開始することができ、さらに迅速な印刷出力が可能となる。
【発明を実施するための最良の形態】
【００２０】
以下、本発明の実施の形態を、図面を参照して詳細に説明する。
【００２１】
図１は、本発明の一実施形態にかかる画像処理システムの全体構成を示すブロック図である。
【００２２】
本実施形態にかかる画像処理システムは、プリントデータ送信装置としてのＰＣ１と、画像形成装置としてのＭＦＰ（Ｍｕｌｔｉ−Ｆｕｎｃｔｉｏｎ  Ｐｅｒｉｐｈｅｒａｌ）２とを備え、これらはネットワーク３を介して相互に通信可能に接続されている。なお、ネットワーク３に接続される機器の種類および台数は、図１に示す例に限定されない。また、ＰＣ１とＭＦＰ２とは、ネットワーク３を介することなく直接機器間で接続（ローカル接続）されていてもよい。
【００２３】
図２は、図１に示されるＰＣの構成を示すブロック図である。ＰＣ１は、ＣＰＵ１１、ＲＯＭ１２、ＲＡＭ１３、ハードディスク１４、ディスプレイ１５、入力装置１６、およびネットワークインタフェース１７を備えており、これらは信号をやり取りするためのバス１８を介して相互に接続されている。
【００２４】
ＣＰＵ１１は、プログラムにしたがって、上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。このハードディスク１４には、文書を作成・編集するためのアプリケーションと、アプリケーションから指示された文書ファイルをＭＦＰ２が解釈可能な言語（たとえばＰｏｓｔＳｃｒｉｐｔ（登録商標）などのページ記述言語）で記述されたプリントデータに変換するためのプリンタドライバとがインストールされている。
【００２５】
ディスプレイ１５は、各種の情報を表示する。入力装置１６は、マウス等のポインティングデバイスやキーボードであり、各種の入力を行うために使用される。ネットワークインタフェース１７は、ネットワーク３を介して他の機器と通信するためのインタフェースであり、イーサネット（登録商標）、トークンリング、ＦＤＤＩ等の規格が用いられる。
【００２６】
図３は、図１に示されるＭＦＰの構成を示すブロック図である。ＭＦＰ２は、ＣＰＵ２１、ＲＯＭ２２、ＲＡＭ２３、ハードディスク２４、操作パネル部２５、画像読取部２６、印刷部２７、およびネットワークインタフェース２８を含み、これらは信号を遣り取りするためのバス２９を介して相互に接続されている。なお、ＭＦＰ２の上記各部のうち、ＰＣ１の上記各部と同様の機能を有する部分については、説明の重複を避けるためその説明を省略する。
【００２７】
ＭＦＰ２は、たとえばＰＣ１からの指示により印刷を行うプリント機能、原稿を複写するコピー機能、および原稿を走査して読み取った画像データを送信するスキャン機能を備えている。
【００２８】
操作パネル部２５は、各種情報の表示および各種指示の入力に使用される。画像読取部２６は、原稿を読み取ることによって画像データを得る。画像読取部２６は、原稿に光源で光を当ててその反射光を光電変換するためのＣＣＤ等の受光素子を有している。
【００２９】
印刷部２７は、電子写真式プロセス等の周知の作像プロセスを用いて各種データを用紙などの記録材上に印刷する。
【００３０】
この印刷部２７は、異なるサイズあるいは異なる向きの用紙を収納し得る複数の給紙トレイを備えている。図４は、複数の給紙トレイ２７１ａ〜２７１ｄを説明の便宜上平面的に並置して示す図である。図４における右方向が給紙方向を示す。給紙トレイ２７１ａには、Ａ４サイズの用紙が、長辺を先頭にして給紙されるように、すなわち給紙方向がＬＥＦ（Ｌｏｎｇ  Ｅｄｇｅ  Ｆｅｅｄ）となるようにセットされている。また、給紙トレイ２７１ｂには、Ａ３サイズの用紙が、短辺を先頭にして給紙されるように、すなわち給紙方向がＳＥＦ（Ｓｈｏｒｔ  Ｅｄｇｅ  Ｆｅｅｄ）となるようにセットされている。また、給紙トレイ２７１ｃには、Ａ４サイズの用紙が給紙方向がＳＥＦとなるようにセットされている。また、給紙トレイ２７１ｄには、Ａ５サイズの用紙が給紙方向がＬＥＦとなるようにセットされている。
【００３１】
印刷部２７はさらに、印刷後の用紙に対して後処理を施すフィニッシング部（不図示）を備えている。後処理には、たとえば用紙束をステープル止めするステープル処理や、用紙の端部にファイリング用の穴をあけるパンチ処理が含まれる。
【００３２】
なお、ＰＣ１、およびＭＦＰ２は、それぞれ、上記した構成要素以外の構成要素を含んでいてもよく、あるいは、上記した構成要素のうちの一部が含まれていなくてもよい。
【００３３】
ネットワーク３は、イーサネット（登録商標）、トークンリング、ＦＤＤＩ等の規格によりコンピュータやネットワーク機器同士を接続したＬＡＮや、ＬＡＮ同士を専用線で接続したＷＡＮ等からなる。
【００３４】
次に、本実施形態における画像処理システムの動作の概要を説明する。
【００３５】
図５は、ＰＣ１におけるプリントデータの送信処理の手順を示すフローチャートである。なお、図５のフローチャートにより示されるアルゴリズムは、ＰＣ１のハードディスク１４などの記憶部にプログラムとして記憶されており、ＣＰＵ１１によって実行される。
【００３６】
まず、印刷条件の設定が行われる（Ｓ１０１）。具体的には、ＰＣ１で実行中のアプリケーションによって表示される印刷ダイアログボックス（不図示）のプロパティボタンをユーザが操作することによって、たとえば図６に示すようなプリンタドライバのプロパティ画面５が開かれる。このプロパティ画面５において、ユーザの操作に基づいて、両面印刷の指定、印刷部数などの各種の印刷条件が設定され得る。かかる設定に基づいて印刷条件のデータが作成される。
【００３７】
ここで、プロパティ画面５には、プリントデータがサイズの異なるページを含む混載データであるか否かをユーザが指定するためのチェックボックス５１が設けられている。プリントデータが混載データである場合、ユーザの操作により、チェックボックス５１にチェックが入れられる（チェックＯＮ）。一方、プリントデータが混載データでない場合、チェックボックス５１に対するユーザの操作は行われない（チェックＯＦＦ）。ここで、チェックボックス５１へのチェックの有無に応じて、プリントデータがサイズの異なるページを含むか否かを示す混載有無データが作成され得る。このように、ユーザは、プリントデータが混載データであるか否かを指定するだけの簡単な操作で済み、具体的なサイズを確認する必要はない。
【００３８】
また、プロパティ画面５において、印刷後の用紙に対して施されるステープル処理やパンチ処理等の後処理の指定が可能である。後処理の指定の内容に応じて、後処理に関する情報を示す後処理データが作成され得る。
【００３９】
そして、ＯＫボタン５２が押されると、プロパティ画面５における各種の入力に基づく印刷条件のデータが作成されて、ＲＡＭ１３などの記憶部に保存される。
【００４０】
続いて、ユーザの操作に基づく印刷指示が有ったか否かが判断される（Ｓ１０２）。印刷指示が無い場合（Ｓ１０２でＮＯ）、ステップＳ１０１に戻り、印刷条件の追加や変更が可能である。
【００４１】
印刷指示が有った場合（Ｓ１０２でＹＥＳ）、操作中のファイルがプリントデータに変換された後、当該プリントデータと印刷条件のデータとが、たとえばＭＦＰ２に送信される（Ｓ１０３）。
【００４２】
図７は、ＭＦＰ２におけるプリントデータの受信処理の手順を示すフローチャートである。なお、図７のフローチャートにより示されるアルゴリズムは、ＭＦＰ２のハードディスク２４などの記憶部にプログラムとして記憶されており、ＣＰＵ２１によって実行される。
【００４３】
まず、ＭＦＰ２は、たとえばＰＣ１から、プリントデータと印刷条件のデータとを受信する（Ｓ２０１）。
【００４４】
続いて、ＭＦＰ２は、受信した印刷条件のデータに含まれる混載有無データに基づいて、プリントデータ中にサイズの異なるページの混載が有るか否かが判断される（Ｓ２０２）。サイズの異なるページの混載が無いと判断された場合（Ｓ２０２でＮＯ）、ステップＳ２０８に進む。
【００４５】
サイズの異なるページの混載が有ると判断された場合には（Ｓ２０２でＮＯ）、受信した印刷条件のデータに含まれる後処理データに基づいて、後処理の指定が有るか否かが判断される（Ｓ２０３）。後処理の指定が無いと判断された場合（Ｓ２０３でＮＯ）、ステップＳ２０８に進む。
【００４６】
一方、後処理の指定が有ると判断された場合には（Ｓ２０３でＹＥＳ）、ステップＳ２０４に進む。
【００４７】
ステップＳ２０４では、複数ページからなるプリントデータの各ページのサイズが順次検出される（Ｓ２０４）。ここで、ページのサイズの検出は、プリントデータの１ページ分を受信するごとに行われる。
【００４８】
続いて、検出したページのサイズが、前ページのサイズと異なるか否かが判断される（Ｓ２０５）。すなわち、順次検出されたプリントデータのページのサイズが順次比較される。前ページとサイズが同じであると判断された場合（Ｓ２０５でＮＯ）、プリントデータの全ページについてのサイズの比較が終了していないときには（Ｓ２０６でＮＯ）、ステップＳ２０４に戻る。なお、プリントデータの全ページについてのサイズの比較が終了したときには（Ｓ２０６でＹＥＳ）、ステップＳ２０８に進む。
【００４９】
一方、前ページとサイズが異なると判断された場合（Ｓ２０５でＹＥＳ）、ページのサイズの組み合わせが検出される（Ｓ２０７）。つまり、ページのサイズを順次比較した結果においてサイズが異なったときのサイズの組み合わせが検出される。さらに、ステップＳ２０７では、検出したサイズの組み合わせに応じて、用紙の給紙方向が決定される。これにより、印刷後に排出される用紙の一辺の長さを揃えることができる。
【００５０】
図８は、サイズの組み合わせと用紙の給紙方向との対応テーブルを示す図である。具体的には、検出したサイズの組み合わせがＡ４サイズおよびＡ３サイズである場合、Ａ４サイズの用紙の給紙方向はＬＥＦ、Ａ３サイズの用紙の給紙方向はＳＥＦに決定される。また、検出したサイズの組み合わせがＡ４サイズおよびＡ５サイズである場合、Ａ４サイズの用紙の給紙方向はＳＥＦ、Ａ５サイズの用紙の給紙方向はＬＥＦに決定される。また、検出したサイズの組み合わせがレターサイズおよびリーガルサイズである場合、レターサイズおよびリーガルサイズの両用紙とも給紙方向はＳＥＦに決定される。また、検出したサイズの組み合わせがレターサイズおよびタブロイドサイズである場合、レターサイズの用紙の給紙方向はＬＥＦ、タブロイドサイズの用紙の給紙方向はＳＥＦに決定される。
【００５１】
ステップＳ２０８では、使用すべき給紙トレイが選択される。ここで、プリントデータが混載データである場合には、ステップＳ２０７におけるサイズの組み合わせが検出された時点で、サイズの組み合わせに応じて決定された用紙の給紙方向に基づいて、使用すべき給紙トレイが選択される。たとえば、サイズの組み合わせがＡ４サイズおよびＡ３サイズである場合、給紙トレイ２７１ａおよび２７１ｂが選択される（図４参照）。
【００５２】
続いて、選択された給紙トレイから送られる用紙に対して、プリントデータの各ページが順次印刷される（Ｓ２０９）。また、後処理の指定が有る場合には、印刷後の用紙に対して、ステープル処理やパンチ処理等の後処理が施される。
【００５３】
次に、より具体的に、たとえば１〜５枚目までのページがＡ４サイズ、６枚目までのページがＡ３サイズ、７〜１０枚目までのページが再びＡ４サイズである、１０ページからなるプリントデータの印刷処理について説明する。この場合、プリントデータが混載データであるため、サイズの混載パターン（サイズの組み合わせ）が解析される。１枚目〜５枚目までのページはすべてＡ４サイズなので５枚目までのページが受信された時点では混載パターンの種類を判別できないが、６枚目のページとしてＡ３サイズのページが受信されることにより、（Ａ４サイズ＋Ａ３サイズ）の混載パターンであることが確定する。これにより、Ａ４サイズの用紙はＬＥＦ方向に給紙され、Ａ３サイズの用紙はＳＥＦ方向に給紙されれば、印刷後に排出される用紙の一辺の長さを揃えられることがわかる。ここで、６枚目までのページで混載パターンの種類が確定するため、６枚目のページを受信した際に、１枚目のページから印刷処理が実行される。これ以降、Ａ４サイズの場合はＬＥＦ方向、Ａ３サイズの場合はＳＥＦ方向に給紙が続けられて、全１０ページの印刷処理が行われる。
【００５４】
このように本実施形態のＭＦＰ２は、受信したプリントデータのページのサイズを順次検出し、順次検出されたプリントデータのページのサイズを順次比較して、比較した結果においてサイズが異なったときのサイズの組み合わせを検出する。そして、ＭＦＰ２は、サイズの組み合わせが検出された時点で、異なるサイズあるいは異なる向きの用紙を収納し得る複数の給紙トレイの中で使用すべき給紙トレイ２７１ａ〜２７１ｄを選択して、印刷処理を開始する。
【００５５】
したがって、プリントデータの送信側においてプリントデータに含まれるページのサイズの組み合わせを予め指示しなくても、順次受信されるページのサイズの混載パターンがわかった時点で早期に印刷を開始することができる。
【００５６】
この結果、印刷出力するまでの時間を短縮でき、しかもユーザにわずらわしい操作を要求することなく、プリントデータが混載データである場合には印刷後に排出される用紙の一辺の長さを揃えることが可能となる。
【００５７】
また、ＭＦＰ２が混載有無データをプリントデータとともに受信することにより、混載の無いことが示されている場合には、サイズの組み合わせの検出を待たずに印刷処理を開始することができ、さらに迅速な印刷出力が可能となる。
【００５８】
また、ＭＦＰ２が後処理データをプリントデータとともに受信することにより、後処理の指定が無いことが示されている場合には、サイズの組み合わせの検出を待たずに印刷処理を開始することができ、さらに迅速な印刷出力が可能となる。このように、後処理が行われない場合には、印刷後に排出される用紙の一辺の長さを必ずしも揃える必要はないものとして処理される。
【００５９】
本発明は、上記した実施形態のみに限定されるものではなく、特許請求の範囲内において、種々改変することができる。
【００６０】
たとえば、上記実施形態において、画像形成装置としてＭＦＰが使用されているが、本発明はこれに限定されるものではなく、たとえば複写機、およびプリンタなどの他の画像形成装置が使用されてもよい。
【００６１】
また、上記実施形態では、プリントデータ送信装置としてＰＣが使用されているが、本発明はこれに限定されるものではなく、たとえば携帯端末などの他のプリントデータ送信装置が使用されてもよい。
【００６２】
本実施形態にかかる画像処理システムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【００６３】
【図１】本発明の一実施形態にかかる画像処理システムの全体構成を示すブロック図である。
【図２】図１に示されるＰＣの構成を示すブロック図である。
【図３】図１に示されるＭＦＰの構成を示すブロック図である。
【図４】複数の給紙トレイを説明の便宜上平面的に並置して示す図である。
【図５】ＰＣにおけるプリントデータの送信処理の手順を示すフローチャートである。
【図６】プリンタドライバのプロパティ画面の一例を示す図である。
【図７】ＭＦＰにおけるプリントデータの受信処理の手順を示すフローチャートである。
【図８】サイズの組み合わせと用紙の給紙方向との対応テーブルを示す図である。
【符号の説明】
【００６４】
１    ＰＣ、
１１，２１    ＣＰＵ、
１２，２２    ＲＯＭ、
１３，２３    ＲＡＭ、
１４，２４    ハードディスク、
１５    ディスプレイ、
１６    入力装置、
１７，２８    ネットワークインタフェース、
１８，２９    バス、
２５    操作パネル部、
２６    画像読取部、
２７    印刷部、
２７１ａ〜２７１ｄ    給紙トレイ、
３    ネットワーク、
５    プロパティ画面、
５１    チェックボックス。
【図１】
2006026956.tif 000003
【図２】
2006026956.tif 000004
【図３】
2006026956.tif 000005
【図４】
2006026956.tif 000006
【図５】
2006026956.tif 000007
【図７】
2006026956.tif 000008
【図８】
2006026956.tif 000009
【図６】
2006026956.tif 000010